(57)【要約】【課題】二番還元コンベアのメンテナンスが容易なコンバインを提供することを目的とする。【解決手段】二番還元コンベアケース４４は、フィードチェンフレーム４６と、脱穀部４との間に配置され、脱穀部４側に支持される右側二番還元ケース４４Ｒと、フィードチェンフレーム４６側に支持される左側二番還元ケース４４Ｌとに分割され、左側二番還元ケース４４Ｌは、フィードチェンフレーム４６と一体的に脱穀部４の外側方向に回動し、右側二番還元ケース４４Ｒに対して着脱可能に構成されている。【選択図】図１８
2009219448.tif 000002
【特許請求の範囲】
【請求項１】
脱穀部・選別部の一側に、前記脱穀部の外側方向に回動可能に構成され、フィードチェンを支持するフィードチェンフレームと、前記選別部で選別後の二番穀粒を搬送して前記選別部へ還元する二番還元コンベアと、前記二番還元コンベアを覆うコンベアケースと、を備えるコンバインであって、前記コンベアケースは、前記フィードチェンフレームと、前記脱穀部との間に配置され、前記脱穀部側に支持される第一のコンベアケースと、前記フィードチェンフレーム側に支持される第二のコンベアケースとに分割され、前記第二のコンベアケースは、前記フィードチェンフレームと一体的に前記脱穀部の外側方向に回動し、前記第一のコンベアケースに対して着脱可能に構成されている、ことを特徴とするコンバイン。
【請求項２】
前記二番還元コンベアの搬送経路上に、二番穀粒の枝梗を枝梗処理ケース内で処理する枝梗処理装置が設けられ、前記枝梗処理ケースは、前記脱穀部側に支持される第一の枝梗処理ケースと、前記フィードチェンフレーム側に支持される第二の枝梗処理ケースとに分割され、前記第二の枝梗処理ケースは、前記フィードチェンフレームと一体的に前記脱穀部の外側方向に回動し、前記第一の枝梗処理ケースに対して着脱可能に構成されている、ことを特徴とする請求項１に記載のコンバイン。
【請求項３】
前記二番還元コンベアの搬送終端部は、前記選別部の選別開始部に配置されている、ことを特徴とする請求項１または請求項２に記載のコンバイン。
【発明の詳細な説明】
【技術分野】
【０００１】
本発明は、コンバインの技術に関し、より詳細には、選別部に設けられる二番還元コンベアを覆うコンベアケースの技術に関する。
【背景技術】
【０００２】
従来、脱穀部・選別部の一側に、前記脱穀部の外側方向に回動可能に構成され、フィードチェンを支持するフィードチェンフレームと、前記選別部で選別後の二番穀粒を搬送して前記選別部へ還元する二番還元コンベアと、前記二番還元コンベアを覆うコンベアケースと、を備えるコンバインの技術は公知となっている（例えば、特許文献１参照）。
【０００３】
前記従来のコンバインでは、脱穀部の外側方向に回動するフィードチェン（フィードチェンフレーム）と一体的に、二番還元コンベアの先端部に設けられた投出羽根を覆う外筒部が回動することにより投出羽根が露出するため、投出羽根の掃除や点検等のメンテナンスが容易にできるようになっている。
【特許文献１】実開平３−１２２６３０号公報
【発明の開示】
【発明が解決しようとする課題】
【０００４】
しかしながら、前記従来のコンバインに係る二番還元コンベアは、フィードチェンフレームが脱穀部の外側方向に回動することによって、先端部（投出羽根）は露出するが、先端部以外はコンベアケースに覆われたままであるため、メンテナンスが容易になっているとはいえない。
【０００５】
本発明は以上の状況に鑑み、二番還元コンベアのメンテナンスが容易なコンバインを提供することを目的とする。
【課題を解決するための手段】
【０００６】
本発明の解決しようとする課題は以上のとおりであり、次にこの課題を解決するための手段を説明する。
【０００７】
すなわち、請求項１においては、脱穀部・選別部の一側に、前記脱穀部の外側方向に回動可能に構成され、フィードチェンを支持するフィードチェンフレームと、前記選別部で選別後の二番穀粒を搬送して前記選別部へ還元する二番還元コンベアと、前記二番還元コンベアを覆うコンベアケースと、を備えるコンバインであって、前記コンベアケースは、前記フィードチェンフレームと、前記脱穀部との間に配置され、前記脱穀部側に支持される第一のコンベアケースと、前記フィードチェンフレーム側に支持される第二のコンベアケースとに分割され、前記第二のコンベアケースは、前記フィードチェンフレームと一体的に前記脱穀部の外側方向に回動し、前記第一のコンベアケースに対して着脱可能に構成されているものである。
【０００８】
請求項２においては、前記二番還元コンベアの搬送経路上に、二番穀粒の枝梗を枝梗処理ケース内で処理する枝梗処理装置が設けられ、前記枝梗処理ケースは、前記脱穀部側に支持される第一の枝梗処理ケースと、前記フィードチェンフレーム側に支持される第二の枝梗処理ケースとに分割され、前記第二の枝梗処理ケースは、前記フィードチェンフレームと一体的に前記脱穀部の外側方向に回動し、前記第一の枝梗処理ケースに対して着脱可能に構成されているものである。
【０００９】
請求項３においては、前記二番還元コンベアの搬送終端部は、前記選別部の選別開始部に配置されているものである。
【発明の効果】
【００１０】
本発明の効果として、以下に示すような効果を奏する。
【００１１】
請求項１においては、第二のコンベアケースがフィードチェンフレームと一体的に脱穀部の外側方向に回動して第一のコンベアケースから外れることにより、二番還元コンベアが露出するため、二番還元コンベアのメンテナンスが容易である。
【００１２】
請求項２においては、二番穀粒が枝梗処理装置によって枝梗処理されてから選別部に還元されるため、選別精度が向上する。また、第二の枝梗処理ケースがフィードチェンフレームと一体的に脱穀部の外側方向に回動して第一の枝梗処理ケースから外れることにより、枝梗処理装置の内部が露出するため、枝梗処理装置のメンテナンスが容易である。
【００１３】
請求項３においては、二番穀粒が選別部の選別開始部まで還元されることにより、二番穀粒を再び十分に選別できるため、選別精度が向上する。
【発明を実施するための最良の形態】
【００１４】
次に、発明を実施するための最良の形態を説明する。
図１はコンバインを示した側面図、図２は同じく平面図、図３は脱穀部及び選別部を概略的に示した側面断面図、図４はフィードチェンフレームを示した側面図、図５はフィードチェンフレームの後部を示した側面図、図６は二番縦コンベア、二番還元コンベア、枝梗処理装置を示した側面図、図７は同じく平面図、図８は同じく正面図、図９は二番縦コンベアを示した側面断面図、図１０は二番縦コンベアと二還元コンベアとの受継部を示した平面断面図、図１１は二番還元コンベア及び枝梗処理装置を示した側面断面図、図１２は図１１におけるＡ―Ａ断面図、図１３は同じくＢ―Ｂ断面図、図１４は枝梗処理装置を示した側面断面図、図１５はフィードチェンフレーム、二番還元コンベア、二番還元コンベアケース、側部カバーを示した背面断面図、図１６は二番還元コンベア、二番還元コンベアケース、側部カバーを示した側面図、図１７は支持ステー及びフランジ部を示した背面断面図、図１８はフィードチェンフレームを脱穀部の外側方向に回動させた状態を示した背面断面図、図１９は（ａ）フィードチェンフレームを脱穀部の内側方向に回動させた状態を示した平面図、（ｂ）フィードチェンフレーム及び二番還元コンベアケースを脱穀部の外側方向に回動させた状態を示した平面図、図２０は二番縦コンベア、二還元コンベア、枝梗処理装置の駆動構成を示したスケルトン図、図２１は二還元コンベアの駆動構成を示した側面図である。
【００１５】
先ず、本実施例に係るコンバインの全体構成について、図１及び図２を用いて説明する。
【００１６】
図１及び図２に示すように、コンバインは、クローラ式走行装置２で圃場を走行移動しながら、穀稈を刈取部６で連続的に刈取り、刈取穀稈を脱穀部４で脱穀して穀粒を選別部５で選別するように構成されている。
【００１７】
コンバインでは、クローラ式走行装置２がトラックフレーム１の左右に配設されている。トラックフレーム１上には、機体フレーム３が配設されている。機体フレーム３上には、扱胴１２、フィードチェン１３等を備える脱穀部４が配設されている。
【００１８】
脱穀部４の下方には、揺動選別装置１４、唐箕ファン１５等を備える選別部５が配設されている。脱穀部４の前方には、刈取部６が配設されている。脱穀部４の後方には、排藁チェン１６等を備える排藁処理部７が配設されている。排藁チェン１６の前端部（搬送始端部）は、フィードチェン１３の後端部（搬送終端部）に臨むように配設されている。脱穀部４の右方には、一番揚穀コンベア１７によって搬送された穀粒を貯溜する穀物タンク８が配設されている。
【００１９】
穀物タンク８の後方には、穀物タンク８内に貯溜された穀粒を機外に排出する排出オーガ１８の縦オーガ１９が配設されている。穀物タンク８の前方には、操向ハンドル等を備える運転操作部２０、運転席２１等を覆う運転キャビン９が配設されている。
【００２０】
運転キャビン９の下方には、コンバインの駆動源となるエンジン１０、トランスミッション１１が配設されている。
【００２１】
次に、脱穀部４及び選別部５について、図３を用いて説明する。
【００２２】
図３に示すように、脱穀部４は、フィードチェン１３と、扱胴１２と、処理胴２２とを備えている。
【００２３】
フィードチェン１３は、脱穀部４の左側部に配設され、脱穀用穀稈を搬送するように構成されている。フィードチェン１３は、フィードチェンフレーム４６（図４参照）に支持されている。
【００２４】
扱胴１２は、フィードチェン１３によって搬送された穀稈を扱室２３内でコンバインの機体（以下、単に「機体」という。）後方向に搬送しながら脱粒処理するように構成されている。扱胴１２は、回動軸（図示省略）を機体前後方向に有して、扱室２３内に配設されている。扱胴１２の下方周囲には、脱粒処理された穀粒を選別して通過させる受網２４が着脱可能に配設されている。受網２４は、正面視半円形状に形成され、扱胴１２の下部を覆っている。
【００２５】
処理胴２２は、扱胴１２の右後方で前部が側面視において扱胴１２の後部と一部重複するように配設されている。処理胴２２は、未処理粒（枝梗付着粒等）を処理室２５内で機体後方向に搬送しながら単粒処理するように構成されている。扱室２３内の未処理粒（枝梗付着粒等）は、扱室２３の後部右側と処理室２５の前部左側とを連通する送塵口２６を介して処理室２５内に搬送される。
【００２６】
処理胴２２は、扱胴１２と平行に回動軸（図示省略）を機体前後方向に有して、処理室２５内に配設されている。処理胴２２の下方周囲には、単粒処理した穀粒を選別して通過させる処理胴網２７が配設されている。処理胴網２７の下方には、処理胴２２で単粒処理された穀粒を機体前方へ搬送して選別部５（揺動選別装置１４）へ戻すターンコンベア（図示省略）が配設されている。
【００２７】
選別部５は、揺動選別装置１４と、唐箕ファン１５と、一番回収部２８と、二番回収部２９とを備え、脱穀された穀粒を揺動選別、風選別して一番穀粒と二番穀粒と藁屑等に分別するように構成されている。
【００２８】
揺動選別装置１４は、扱胴１２（受網２４）の下方に配設されている。揺動選別装置１４は、フィードパン３２、３３と、チャフシーブ３４と、グレンシーブ３５と、ストローラック３６とを備え、脱穀された穀粒を揺動選別するように構成されている。
【００２９】
フィードパン３２、３３は、揺動選別装置１４の前部に配設されている。フィードパン３２、３３は、受網２４を通過した穀粒を機体後方向に送りながら均平、比重選別するように構成されている。
【００３０】
チャフシーブ３４は、フィードパン３２の後部に配設されている。チャフシーブ３４は、フィードパン３２から送られた穀粒と藁屑、及び受網２４を通過した穀粒と藁屑を機体後方向に送りながら粗選別するように構成されている。
【００３１】
グレンシーブ３５は、チャフシーブ３４の下方でフィードパン３３の後部に配設されている。グレンシーブ３５は、チャフシーブ３４で粗選別された穀粒を唐箕ファン１５の選別風とあいまって精選別するように構成されている。
【００３２】
ストローラック３６は、チャフシーブ３４の後方に配設されている。ストローラック３６は、チャフシーブ３４から送られた藁屑をほぐして穀粒を二番回収部２９に落下させ、藁屑を脱穀部４後端部の三番口４０から排出するように構成されている。
【００３３】
唐箕ファン１５は、揺動選別装置１４の前部下方に配設されている。唐箕ファン１５は、選別風を送風してチャフシーブ３４で粗選別された穀粒等を精選別するとともに、脱穀部４内の塵埃等を機体後方向に吹き飛ばすように構成されている。唐箕ファン１５の選別風が送風された穀粒の内、比重の大きい穀粒（一番穀粒）は、選別風に逆らって一番回収部２８上に落下し、比重の小さい軽い穀粒（二番穀粒）は、選別風に吹き飛ばされて二番回収部２９上に落下する。
【００３４】
揺動選別装置１４の後上方には、唐箕ファン１５の選別風に乗ってきた塵埃等を吸引して機外に排出する吸引ファン３１（横断流ファン）が配設されている。唐箕ファン１５の後方（一番回収部２８と二番回収部２９との間）には、揺動選別装置６の後部に選別風を送風するセカンドファン３０が配設されている。
【００３５】
一番回収部２８は、唐箕ファン１５後方において、選別部５底面が樋状に形成され、一番穀粒を回収するように構成されている。一番回収部２８内には、一番コンベア４１が機体左右方向に横設されている。
【００３６】
一番コンベア４１は、一番回収部２８上に落下した一番穀粒を機体右方向へ搬送するように構成されている。一番コンベア４１の右端部（搬送終端部）には、一番揚穀コンベア１７が立設されている。
【００３７】
一番揚穀コンベア１７は、一番コンベア４１によって搬送された一番穀粒を穀物タンク８へ搬送するように構成されている。
【００３８】
二番回収部２９は、一番回収部２８（セカンドファン３０）後方において、選別部５底面が樋状に形成され、二番穀粒を回収するように構成されている。二番回収部２９内には、二番コンベア４２が機体左右方向に横設されている。
【００３９】
二番コンベア４２は、二番回収部２９上に落下した二番穀粒を機体左方向（フィードチェン１３側）へ搬送するように構成されている。二番コンベア４２の左端部（搬送終端部）には、二番縦コンベア３８が立設されている。
【００４０】
二番縦コンベア３８は、二番コンベア４２によって機体左方向へ搬送された二番穀粒を機体上方向へ搬送するように構成されている。二番縦コンベア３８の上端部（搬送終端部）には、二番還元コンベア３９が機体前後方向に横設されている。
【００４１】
二番還元コンベア３９は、二番縦コンベア３８によって機体上方向へ搬送された二番穀粒を機体前方向へ搬送して選別部５（揺動選別装置１４）へ還元するように構成されている。二番還元コンベア３９の搬送経路上（本実施例では搬送終端部）には、二番穀粒の枝梗を処理する枝梗処理装置３７が設けられている。
【００４２】
次に、フィードチェンフレーム４６について、図４及び図５を用いて説明する。
【００４３】
図４に示すように、フィードチェンフレーム４６は、回転自在に支持する駆動スプロケット４７、従動スプロケット４８、従動ローラ４９、テンションローラ５０にフィードチェン１３を巻回するように構成されている。また、フィードチェンフレーム４６は、後端部側を回動支点に機体左右方向に回動可能に支持され、脱穀部４の外側方向（機体左方向）に回動可能に構成されている。
【００４４】
フィードチェンフレーム４６は、機体前後方向に水平に配設された横フレーム４６ａと、機体後方向に上り勾配を形成するように配設された斜フレーム４６ｂと、側面視略コ字状に形成された回動支点フレーム４６ｃと、補強フレーム４６ｄとを備え、側面視略三角形状に形成されている。
【００４５】
斜フレーム４６ｂは、フィードチェン１３の上辺内側をガイドするように構成されている。斜フレーム４６ｂの前端部は、前補強板５１を介して横フレーム４６ａの前端部に連結されている。斜フレーム４６ｂと横フレーム４６ａとの上下間は、パイプにより構成される複数（本実施例では三本）の補強部材５３・５３・５３によって連結されている。
【００４６】
回動支点フレーム４６ｃは、下端部が横フレーム４６ａの後端部に連結され、上端部が補強フレーム４６ｄの後端部に連結されている。補強フレーム４６ｄの前端部は、後補強板５２を介して斜フレーム４６ｂの後端部に連結されている。回動支点フレーム４６ｃは、支持部５６・５６を介して支持フレーム５５に機体左右方向に回動可能に支持されている。
【００４７】
支持フレーム５５は、背面視略逆コ字状に形成されたパイプにより構成され、上下端部が機体側（脱穀部４の後部側壁６０）に固定されている。
【００４８】
図５に示すように、支持部５６・５６は、回動支点フレーム４６ｃに一体的に固設されて機体左方向に向いて突出するステー５６ａ・５６ａと、支持フレーム５５に一体的に固設されて機体前方向に向いて突出する支持ステー５６ｂ・５６ｂと、ステー５６ａ・５６ａと支持ステー５６ｂ・５６ｂとを回動可能に連結する回動ピン５６ｃ・５６ｃとを備えている。支持部５６・５６では、支持ステー５６ｂ・５６ｂの前端部とステー５６ａ・５６ａの左端部とが平面視において重なるように配置され、この重なる位置にそれぞれ回動ピン５６ｃ・５６ｃが上下方向に挿入されている。
【００４９】
図４に戻って、駆動スプロケット４７は、横フレーム４６ａの前部下方に配設された回転軸４７ａ上に固設されている。
【００５０】
回転軸４７ａは、横フレーム４６ａにステー等を介して下方に垂設された支持アーム５４に回転自在に支持されている。回転軸４７ａは、フィードチェンフレーム４６を脱穀部４の内側方向（機体右方向）に回動した時に、機体側から突出した駆動軸（図示省略）と相対回転不能に嵌合（爪ボス嵌合又はキー嵌合）されて前記駆動軸から動力が伝達されるように構成されている。
【００５１】
従動スプロケット４８は、斜フレーム４６ｂの前端部に回転自在に支持され、従動ローラ４９は、斜フレーム４６ｂの後端部に回転自在に支持されている。
【００５２】
テンションローラ５０は、駆動スプロケット４７と従動スプロケット４８との間で、回動アーム６１の一端部に回転自在に支持されている。回動アーム６１の他端部は、支持アーム５４に回動可能に支持されている。
【００５３】
テンションローラ５０の回転軸５０ａには、バネ５７の一端部がステー等を介して係止されている。バネ５７の他端部は、アジャスタ５８に係止されている。アジャスタ５８は、横フレーム４６ａの中途部に立設されたステー５９に長さ調節可能に取り付けられている。
【００５４】
このような構成により、フィードチェン１３は、フィードチェンフレーム４６に回転自在に支持された駆動スプロケット４７、従動スプロケット４８、従動ローラ４９に巻回され、駆動スプロケット４７の回転によって駆動されるとともに、テンションローラ５０によって張力が付与される。
【００５５】
そして、回動支点フレーム４６ｃが支持部５６・５６を介して支持フレーム５５に機体左右方向に回動可能に支持されていることにより、フィードチェンフレーム４６と一体的にフィードチェン１３が脱穀部４の外側方向（機体左方向）に回動可能となる。なお、フィードチェンフレーム４６の前後端部には、フィードチェンフレーム４６を機体側に固定するためのロック装置（図示省略）がそれぞれ設けられている。
【００５６】
ここで、フィードチェンフレーム４６には、扱胴１２の左側下部を覆う側部カバー６２が固定されている（図１５及び図１６参照）。
側部カバー６２は、扱胴１２の形状に沿って（受網２４と略同じ曲率半径に）形成され、右端部が受網２４の左端部に当接するように配設されている。側部カバー６２は、例えば、フィードチェンフレーム４６の補強部材５３・５３・５３に、ボルト、溶接等によって固定される。
【００５７】
このような構成により、側部カバー６２は、フィードチェンフレーム４６と一体的に機体左右方向に回動される。すなわち、側部カバー６２は、フィードチェンフレーム４６と一体的に脱穀部４の外側方向（機体左方向）に回動される。
【００５８】
次に、二番縦コンベア３８、二番還元コンベア３９、枝梗処理装置３７について、図６から図１９を用いて説明する。
【００５９】
図６から図８に示すように、二番縦コンベア３８及び二番還元コンベア３９は、脱穀部４・選別部５の左側部に配設されている。
【００６０】
二番還元コンベア３９は、脱穀部４（扱胴１２）と選別部５（揺動選別装置１４）との上下間の左側部において、機体内側方向に窪むように形成された空間Ｘに配置されている。
【００６１】
空間Ｘは、扱胴１２の左下方と揺動選別装置１４の左上方との間、すなわち、フィードチェン１３の右方（二番縦コンベア３８の右方）で側部カバー６２の下方に形成されている（図１５参照）。空間Ｘでは、機体前後方向において、二番還元コンベア３９が二番縦コンベア３８から選別部５（揺動選別装置１４）の選別開始部（前部）まで連続するように設けられている。
【００６２】
このような構成により、二番穀粒が選別部５（揺動選別装置１４）の選別開始部（前部）まで還元されることになり、二番穀粒を再び十分に選別できるため、選別精度が向上する。また、空間Ｘを有効活用できるため、機体をコンパクトに構成できる。
【００６３】
図９及び図１０に示すように、二番縦コンベア３８（コンベア軸３８ａ）は、軸方向が機体上下方向とされて二番縦コンベアケース４３内に配設されている。二番縦コンベア３８は、コンベア軸３８ａ上にスクリュー３８ｂを形成し、二番縦コンベアケース４３内で二番穀粒を機体上方向へ搬送するように構成されている。二番縦コンベア３８の上下端部は、それぞれ上部受継ケース６３、下部受継ケース６４に覆われている。
【００６４】
二番縦コンベアケース４３は、左右一対のケースが合体して略円筒状の部材を形成して、二番縦コンベア３８を覆うように構成されている。すなわち、二番縦コンベアケース４３は、二番縦コンベア３８に沿って機体上下方向が長手方向とされ、上部受継ケース６３から下部受継ケース６４までの区間において二番縦コンベア３８を覆うように構成されている。なお、二番縦コンベアケース４３は、一体成形された筒状部材でもよい。
【００６５】
二番縦コンベアケース４３の下端部は、下部受継ケース６４の上端部に連通接続されている。下部受継ケース６４の右端部は二番回収部２９の左端部に連通接続されている。すなわち、二番縦コンベアケース４３の下端部は、下部受継ケース６４を介して二番回収部２９の左端部に連通接続されている。下部受継ケース６４内では、ベベルギア７９を介して二番コンベア４２（コンベア軸４２ａ）の動力が二番縦コンベア３８（コンベア軸３８ａ）に伝達されるように構成されている。
【００６６】
二番縦コンベアケース４３の上端部には、上部受継ケース６３の下端部が連通接続されている。上部受継ケース６３の右側面には、後部受継ケース６５の左側面が連通口６６を介して連通接続されている。後部受継ケース６５の前端部には、二番還元コンベア３９を覆うコンベアケースとなる二番還元コンベアケース４４の後端部が連通接続されている。
【００６７】
上部受継ケース６３内に配設された二番縦コンベア３８（コンベア軸３８ａ）の上端部には、複数（本実施例では二枚）の羽根３８ｃ・３８ｃが設けられている。
【００６８】
羽根３８ｃ・３８ｃは、コンベア軸３８ａ上に立設され、二番縦コンベア３８によって搬送された二番穀粒を連通口６６を介して機体右方向に（二番還元コンベア３９に向けて）飛散するように構成されている。
【００６９】
図１１及び図１２に示すように、二番還元コンベア３９（コンベア軸３９ａ）は、軸方向が機体前後方向とされて二番還元コンベアケース４４に配設されている。二番還元コンベア３９（コンベア軸３９ａ）は、二番縦コンベア３８（コンベア軸３８ａ）の右方（脱穀部４の内側方）に配置されている（図１０参照）。二番還元コンベア３９は、コンベア軸３９ａ上にスクリュー３９ｂを形成し、二番還元コンベアケース４４内で二番穀粒を機体前方向へ搬送するように構成されている。
【００７０】
二番還元コンベアケース４４は、機体上下方向（垂直方向）に割面を有し、機体左右方向に第二のコンベアケースとなる左側二番還元ケース４４Ｌと、第一のコンベアケースとなる右側二番還元ケース４４Ｒとに分割されている。二番還元コンベアケース４４は、左側二番還元ケース４４Ｌと、右側二番還元ケース４４Ｒとが着脱可能に合体して略円筒状の部材を形成して、二番還元コンベア３９を覆うように構成されている。すなわち、二番還元コンベアケース４４は、二番還元コンベア３９に沿って機体前後方向が長手方向とされ、枝梗処理ケース６８から後部受継ケース６５までの区間において二番還元コンベア３９を覆うように構成されている。
【００７１】
左右の二番還元ケース４４Ｌ・４４Ｒの両端部（上下端部）のそれぞれには、上又は下方向に突出するフランジ部４４Ｌａ・４４Ｌａ、４４Ｒａ・４４Ｒａが形成されている。すなわち、左側二番還元ケース４４Ｌでは、上端部にフランジ部４４Ｌａが上方向に突出するように形成され、下端部にフランジ部４４Ｌａが下方向に突出するように形成されている。同様に、右側二番還元ケース４４Ｒでは、上端部にフランジ部４４Ｒａが上方向に突出するように形成され、下端部にフランジ部４４Ｒａが下方向に突出するように形成されている。
【００７２】
なお、左右のフランジ部４４Ｌａ・４４Ｌａ、４４Ｒａ・４４Ｒａのいずれか一方に凸部を設け、他方にこの凸部に嵌合する凹部（または開口部）を設けることにより、左右の二番還元ケース４４Ｌ・４４Ｒが位置決めされるため、振動等で左右の二番還元ケース４４Ｌ・４４Ｒがずれない。
【００７３】
図１１から図１４に示すように、枝梗処理装置３７は、二番還元コンベア３９の前端部（搬送終端部）に設けられている。すなわち、枝梗処理装置３７は、揺動選別装置１４の前部（フィードパン３２）上に配設されている。枝梗処理装置３７は、処理軸３７ａ上に軸方向に適宜間隔で立設された処理歯６７・６７・・・によって、枝梗処理ケース６８内で二番穀粒の枝梗を処理するように構成されている。
【００７４】
処理軸３７ａは、軸方向が機体前後方向とされて枝梗処理ケース６８内に配設されている。処理軸３７ａは、二番還元コンベア３９のコンベア軸３９ａの前端部に連結（又はコンベア軸３９ａが一体的に延長されて形成）されている。
【００７５】
処理軸３７ａ上の前端部には、枝梗処理ケース６８に形成されている放出口（図示省略）から枝梗処理後の穀粒を放出する羽根７０が立設されている。
【００７６】
枝梗処理ケース６８は、機体上下方向（垂直方向）に割面を有し、機体左右方向に第二の枝梗処理ケースとなる左側枝梗処理ケース６８Ｌと、第一の枝梗処理ケースとなる右側枝梗処理ケース６８Ｒとに分割されている。枝梗処理ケース６８は、左側枝梗処理ケース６８Ｌと、右側枝梗処理ケース６８Ｒとが着脱可能に合体して略円筒状の部材を形成して、処理軸３７ａ及び処理歯６７・６７・・・を覆うように構成されている。枝梗処理ケース６８の内周面には、処理歯６７・６７・・・と協動して二番穀粒の枝梗を除去する固定歯６９・６９・・・が、処理軸３７ａの軸方向に処理歯６７・６７・・・を避けて適宜間隔で設けられている。
【００７７】
枝梗処理ケース６８の後端部は、二番還元コンベアケース４４の前端部に連通接続されている。左側枝梗処理ケース６８Ｌの後端部は、左側二番還元ケース４４Ｌの前端部に固定され、右側枝梗処理ケース６８Ｒの後端部は、右側二番還元ケース４４Ｒの前端部に固定されている。
【００７８】
このような構成により、枝梗処理装置３７では、枝梗処理ケース６８内で処理歯６７・６７・・・と固定歯６９・６９・・・とが協動して二番穀粒を機体前方向へ搬送しながら枝梗を除去する。そして、枝梗処理後の穀粒は、羽根７０の回転によって前記放出口から放出されて選別部５の選別開始部（前部）へ還元される。すなわち、二番還元コンベア３９の搬送終端部（枝梗処理装置３７）は、選別部５の選別開始部（前部）に配置され、二番還元コンベア３９によって機体前方向に搬送された二番穀粒は、枝梗処理装置３７によって枝梗処理された後、揺動選別装置１４の前部（フィードパン３２）へ還元される（図１４参照）。
【００７９】
図１５から図１７に示すように、左側二番還元ケース４４Ｌでは、上端部のフランジ部４４Ｌａの前部に支持ステー７１が固定されている。支持ステー７１は、左側二番還元ケース４４Ｌを側部カバー６２に支持するためのものであり、側部カバー６２の左側面（機体外側面）後部に固定されている。左側二番還元ケース４４Ｌは、支持ステー７１を介して側部カバー６２に一体的に取り付けられている。
すなわち、前述のように側部カバー６２は、フィードチェンフレーム４６に固定されているため、左側二番還元ケース４４Ｌは、支持ステー７１及び側部カバー６２を介してフィードチェンフレーム４６に支持されている。
【００８０】
ここで、図１０に戻って、左側二番還元ケース４４Ｌの後端部、及び右側二番還元ケース４４Ｒの後端部は、それぞれ後部受継ケース６５の前端部に支持されている。
右側二番還元ケース４４Ｒの後端部は、後部受継ケース６５の前端部に固定されている。すなわち、右側二番還元ケース４４Ｒは、後部受継ケース６５、上部受継ケース６３、二番縦コンベアケース４３、下部受継ケース６４、二番回収部２９を介して脱穀部４側に支持されている。
一方、左側二番還元ケース４４Ｌの後端部は、後部受継ケース６５の前端部に固定されていない。すなわち、前述のように左側二番還元ケース４４Ｌは、フィードチェンフレーム４６側に支持され、後部受継ケース６５及び右側二番還元ケース４４Ｒに対して着脱可能に構成されている。
【００８１】
支持ステー７１は、水平部７１ｂと、水平部７１ｂの左端部から下方に延出する垂直部７１ａとを備え、背面視略Ｌ字状に形成されている。支持ステー７１は、垂直部７１ａが左側二番還元ケース４４Ｌの上端部のフランジ部４４Ｌａに固定されている。垂直部７１ａの右側面（機体内側面）がフランジ部４４Ｌａの左側面（機体外側面）に固定されている。支持ステー７１と側部カバー６２とは、補強プレート７２・７２を介して補強的に固定されている。
【００８２】
補強プレート７２・７２は、好ましくは機体前後方向に複数設けることにより、支持ステー７１と側部カバー６２とが強固に固定される。左側二番還元ケース４４Ｌ及びこれに支持された左側枝梗処理ケース６８Ｌが、支持ステー７１及び補強プレート７２・７２を介して、側部カバー６２に確実に支持される。
【００８３】
このような構成により、図１５、図１８、図１９に示すように、フィードチェンフレーム４６が回動ピン５６ｃ・５６ｃを回動中心に、脱穀部４の外側方向（機体左方向）に回動すると、フィードチェンフレーム４６と一体的に側部カバー６２が脱穀部４の外側方向（機体左方向）に回動する。
【００８４】
その際、側部カバー６２に支持ステー７１を介して固定されている左側二番還元ケース４４Ｌ及び左側枝梗処理ケース６８Ｌも、側部カバー６２及びフィードチェンフレーム４６と一体的に脱穀部４の外側方向（機体左方向）に回動する。
【００８５】
これにより、左側二番還元ケース４４Ｌが右側二番還元ケース４４Ｒから外れて、二番還元コンベア３９が露出するとともに、枝梗処理装置３７の内部（処理軸３７ａ、処理歯６７・６７・・・等）も露出する。
【００８６】
なお、左側二番還元ケース４４Ｌと右側二番還元ケース４４Ｒとは、例えば、左右のフランジ部４４Ｌａ、４４Ｒａに左右一致するようにボルト孔を穿設し、このボルト孔にボルトを差し込む等することによって着脱可能に固定される。
【００８７】
次に、二番縦コンベア３８、二番還元コンベア３９、枝梗処理装置３７の駆動構成について、図２０及び図２１を用いて説明する。
【００８８】
図２０及び図２１に示すように、エンジン１０の出力軸１０ａ上には、出力プーリ７３が固設され、唐箕ファン１５の唐箕軸１５ａ上の右端部には入力プーリ７４が固設され、出力プーリ７３と入力プーリ７４にベルト７５が巻回されて、エンジン１０（出力軸１０ａ）の動力が唐箕軸１５ａに伝達されて唐箕ファン１５が駆動されるように構成されている。
【００８９】
唐箕軸１５ａ上には出力プーリ７６が固設され、二番コンベア４２のコンベア軸４２ａ上の右端部には、入力プーリ７７が固設され、出力プーリ７６と入力プーリ７７にベルト７８が巻回されて、唐箕軸１５ａの動力がコンベア軸４２ａに伝達されて二番コンベア４２が駆動されるように構成されている。
【００９０】
コンベア軸４２ａの左端部と二番縦コンベア３８のコンベア軸３８ａの下端部と間には、ベベルギア７９が設けられ、二番コンベア４２（コンベア軸４２ａ）の動力がコンベア軸３８ａに伝達されて二番縦コンベア３８が駆動されるように構成されている。
【００９１】
二番縦コンベア３８の上方には、軸方向が機体前後方向とされる伝達軸８０が配設されている（図２１参照）。伝達軸８０の前端部とコンベア軸３８ａの上端部との間には、ベベルギア８１が設けられ、コンベア軸３８ａの動力が伝達軸８０に伝達可能に構成されている。
【００９２】
伝達軸８０上の後端部には、出力プーリ８２が固設され、二番還元コンベア３９のコンベア軸３９ａ上の後端部には、入力プーリ８３が固設され、出力プーリ８２と入力プーリ８３にベルト８４が巻回されている。
【００９３】
このような構成により、二番縦コンベア３８（コンベア軸３８ａ）の動力がベベルギア８１、伝達軸８０、出力プーリ８２、ベルト８４、入力プーリ８３を経て、コンベア軸３９ａに伝達されて二番還元コンベア３９が駆動される。さらに、コンベア軸３８ａの動力が処理軸３７ａに伝達されて枝梗処理装置３７が駆動される。
【００９４】
以上のように、本実施例に係るコンバインは、脱穀部４・選別部５の左側に、脱穀部４の外側方向に回動可能に構成され、フィードチェン１３を支持するフィードチェンフレーム４６と、選別部５で選別後の二番穀粒を搬送して選別部５へ還元する二番還元コンベア３９と、二番還元コンベア３９を覆う二番還元コンベアケース４４と、を備えるコンバインであって、二番還元コンベアケース４４は、フィードチェンフレーム４６と、脱穀部４との間に配置され、脱穀部４側に支持される右側二番還元ケース４４Ｒと、フィードチェンフレーム４６側に支持される左側二番還元ケース４４Ｌとに分割され、左側二番還元ケース４４Ｌは、フィードチェンフレーム４６と一体的に脱穀部４の外側方向に回動し、右側二番還元ケース４４Ｒに対して着脱可能に構成されているものである。
【００９５】
このような構成により、左側二番還元ケース４４Ｌがフィードチェンフレーム４６と一体的に脱穀部４の外側方向に回動して右側二番還元ケース４４Ｒから外れることにより、二番還元コンベア３９が露出するため、二番還元コンベア３９のメンテナンスが容易である。
【００９６】
また、二番還元コンベア３９の搬送経路上に、二番穀粒の枝梗を枝梗処理ケース６８内で処理する枝梗処理装置３７が設けられ、枝梗処理ケース６８は、脱穀部４側に支持される右側枝梗処理ケース６８Ｒと、フィードチェンフレーム４６側に支持される左側枝梗処理ケース６８Ｌとに分割され、左側枝梗処理ケース６８Ｌは、フィードチェンフレーム４６と一体的に脱穀部４の外側方向に回動し、右側枝梗処理ケース６８Ｒに対して着脱可能に構成されているものである。
【００９７】
このような構成により、二番穀粒が枝梗処理装置３７によって枝梗処理されてから選別部５に還元されるため、選別精度が向上する。また、左側枝梗処理ケース６８Ｌがフィードチェンフレーム４６と一体的に脱穀部４の外側方向に回動して右側枝梗処理ケース６８Ｒから外れることにより、枝梗処理装置３７の内部が露出するため、枝梗処理装置３７のメンテナンスが容易である。
【００９８】
また、二番還元コンベア３９の搬送終端部は、選別部５の選別開始部に配置されているものである。
【００９９】
このような構成により、二番穀粒が選別部５の選別開始部まで還元されることにより、二番穀粒を再び十分に選別できるため、選別精度が向上する。
【０１００】
なお、上記実施の形態は上記に限定されるものではなく、例えば次のように変更してもよい。
【０１０１】
枝梗処理装置３７の位置は、二番還元コンベア３９の搬送終端部（前端部）に限らず、搬送経路上であればよい。
【０１０２】
また、二番還元コンベアケース４４及び枝梗処理ケース６８の割面は、機体上下方向（垂直方向）に限らず、機体前後方向視において機体左右方向に傾くように形成されていてもよい。
【０１０３】
また、左側二番還元ケース４４Ｌは、側部カバー６２を介さずにフィードチェンフレーム４６に直接固定する構成でもよい。
【図面の簡単な説明】
【０１０４】
【図１】コンバインを示した側面図。
【図２】同じく平面図。
【図３】脱穀部及び選別部を概略的に示した側面断面図。
【図４】フィードチェンフレームを示した側面図。
【図５】フィードチェンフレームの後部を示した側面図。
【図６】二番縦コンベア、二番還元コンベア、枝梗処理装置を示した側面図。
【図７】同じく平面図。
【図８】同じく正面図。
【図９】二番縦コンベアを示した側面断面図。
【図１０】二番縦コンベアと二還元コンベアとの受継部を示した平面断面図。
【図１１】二番還元コンベア及び枝梗処理装置を示した側面断面図。
【図１２】図１１におけるＡ―Ａ断面図。
【図１３】同じくＢ―Ｂ断面図。
【図１４】枝梗処理装置を示した側面断面図。
【図１５】フィードチェンフレーム、二番還元コンベア、二番還元コンベアケース、側部カバーを示した背面断面図。
【図１６】二番還元コンベア、二番還元コンベアケース、側部カバーを示した側面図。
【図１７】支持ステー及びフランジ部を示した背面断面図。
【図１８】フィードチェンフレームを脱穀部の外側方向に回動させた状態を示した背面断面図。
【図１９】（ａ）フィードチェンフレームを脱穀部の内側方向に回動させた状態を示した平面図。（ｂ）同じく脱穀部の外側方向に回動させた状態を示した平面図。
【図２０】二番縦コンベア、二還元コンベア、枝梗処理装置の駆動構成を示したスケルトン図。
【図２１】二還元コンベアの駆動構成を示した側面図。
【符号の説明】
【０１０５】
４    脱穀部
５    選別部
１３    フィードチェン
３７    枝梗処理装置
３９    二番還元コンベア
４４    二番還元コンベアケース（コンベアケース）
４４Ｌ    左側二番還元ケース（第二のコンベアケース）
４４Ｒ    右側二番還元ケース（第一のコンベアケース）
４６    フィードチェンフレーム
６８    枝梗処理ケース
６８Ｌ    左側枝梗処理ケース（第二の枝梗処理ケース）
６８Ｒ    右側枝梗処理ケース（第一の枝梗処理ケース）
【図１】
2009219448.tif 000003
【図２】
2009219448.tif 000004
【図３】
2009219448.tif 000005
【図４】
2009219448.tif 000006
【図５】
2009219448.tif 000007
【図６】
2009219448.tif 000008
【図７】
2009219448.tif 000009
【図８】
2009219448.tif 000010
【図９】
2009219448.tif 000011
【図１０】
2009219448.tif 000012
【図１１】
2009219448.tif 000013
【図１２】
2009219448.tif 000014
【図１３】
2009219448.tif 000015
【図１４】
2009219448.tif 000016
【図１５】
2009219448.tif 000017
【図１６】
2009219448.tif 000018
【図１７】
2009219448.tif 000019
【図１８】
2009219448.tif 000020
【図１９】
2009219448.tif 000021
【図２０】
2009219448.tif 000022
【図２１】
2009219448.tif 000023